(57)【要約】【課題】中空の多孔体および連結材により管状の閉水路が一連に構成された外装材において、各多孔体内に水を滞留させることにより、十分な水量の水を浸透させて保持させるようにして、冷却効果に優れ更には高層建築物にも好適に適用可能な気化冷却機能を有する外装材を提供する。【解決手段】所定間隔を隔てて上下方向に複数並べて連設された保水性または透水性を有する中空の多孔体１１と、上下の多孔体１１の間で水を移動させるための連結材２３とを備えてなる外装材１であって、連結材２３は外装材１の設置状態で上下の多孔体１１の間に介在されて多孔体１１と連結材２３とで水路が形成され、水路の少なくとも一部に水の一部を滞留させるための堰１４ｄを設け、水路に水を通し、水の一部を多孔体１１の表面から気化させるようになっている。【選択図】図３
2010203082.tif 000002
【特許請求の範囲】
【請求項１】
所定間隔を隔てて上下方向に複数並べて連設された、保水性または透水性を有する中空の多孔体と、前記上下の多孔体の間で水を移動させるための連結材とを備えてなる外装材であって、
前記連結材は前記外装材の設置状態で前記上下の多孔体の間に介在され、もって、前記多孔体と前記連結材とで水路が形成され、
前記水路の少なくとも一部に、水の一部を滞留させるための堰を設けてなり、
前記水路に水を通し、水の一部を前記多孔体の表面から気化させることを特徴とする、気化冷却機能を有する外装材。
【請求項２】
前記多孔体は管状であることを特徴とする請求項１に記載の気化冷却機能を有する外装材。
【請求項３】
前記多孔体はセラミックスであることを特徴とする請求項１又は請求項２に記載の気化冷却機能を有する外装材。
【請求項４】
前記堰は多孔体の端部に有することを特徴とする請求項１乃至請求項３の何れかに記載の気化冷却機能を有する外装材。
【請求項５】
前記堰は多孔体を支持するための支持部材を兼ねることを特徴とする請求項１乃至請求項４の何れかに記載の気化冷却機能を有する外装材。
【発明の詳細な説明】
【技術分野】
【０００１】
本発明は、建築物の外装材としての日除に保水性または透水性をもたせ、外装材表面から水を気化させることで、外装材部分で外気の冷却を図りヒートアイランド現象を抑制するようにした気化冷却機能を有する外装材に関する。
【背景技術】
【０００２】
都市においては建築物がコンクリートで形成されているビルディングが多数建設されており、これらのビルディングは太陽光により加熱されやすい。このため、夏季に冷房を使用することにより多量のエネルギーが消費され、これに伴い多量の排熱が発生することとなる。この結果、都市域の地上気温が周辺部より高くなる所謂ヒートアイランド現象が発生する。そこで、このヒートアイランド現象を緩和するために種々の対策がなされている。
【０００３】
例えば、建築物の外壁面等に設置する外装材を構成する部材に水を供給して部材内に蓄積（保水）し、太陽光が当たると蓄積された水が蒸発し、このとき気化熱が奪われることにより周囲の温度を下げるようにして冷却効果を得るようにした冷却装置が知られている。
【０００４】
このような冷却装置として、多孔質のセラミックスからなる羽根部材を所定間隔で複数連設し、各羽根部材の上面に水を一時的に貯留する貯留部を凹んで形成して当該羽根部材の内部に水を浸透させて保水し、太陽光によって加熱されたときに保水された水が気化するときの気化熱（蒸発潜熱）を利用して周囲を冷却するようにしたルーバー装置が知られている（例えば、特許文献１参照）。
【０００５】
或いは、互いに所定間隔を隔てて垂設した２本のパイプ状の支柱間に開口容器状に形成された羽根板を上下方向に間隔を隔てて複数段取り付ける。そして、各羽根板の内部にコケ等の植物を植え付け、パイプ状の支柱を介して各羽根板の内部に給排水を行い、太陽光によって加熱されたときに植物に含まれた水が気化するときの気化熱により建築物の外壁を冷却すると共に外壁の緑化を図るようにした植栽ルーバー装置が知られている（例えば、特許文献２参照）。
【０００６】
或いは、多孔質材よりなり、前面から後面に貫通する通風孔を有した冷却体用ブロックの仕切り壁に上面から下面に貫通する通水用の貫通孔を設け、上下および左右の各面に溝を設け、貫通孔が上下のブロックにおいて互い違いとなるように積み重ね、最上段に溝状水路および縦穴を有するコンクリート枠を配置してブロック全体を水で湿潤する。そして、ブロックが太陽光によって加熱されたときに湿潤している水が気化するときの気化熱を利用して周囲の冷却効果を得るようにした冷却壁体が知られている（例えば、特許文献３参照）。
【先行技術文献】
【特許文献】
【０００７】
【特許文献１】特開２００６−２８９２７号公報（図１、５−６頁）
【特許文献２】特開２００２−３４３４７号公報（図２、３頁）
【特許文献３】特開２０００−１４４９６３号公報（図１、３頁）
【発明の概要】
【発明が解決しようとする課題】
【０００８】
特許文献１に記載されているルーバー装置は、各段の羽根部材の上面に凹んで形成した貯留部にホースやじょうろで散水して水を貯留するために散水に手間を要する。また、散水が不要な季節（春、秋、冬等の冷却が不要な季節）には羽根部材の上面に凹んで形成された貯留部に塵埃や枯葉などが堆積し易く、これに伴い細孔が目詰りし易くなる。そして、冷却が必要な夏季において散水する際にはこれらの堆積物を除去する必要があり、メンテナンスに手間を要する。また、細孔が目詰りしている場合には冷却効果が低くなる。更に、上面に形成した貯留部に貯留した水が強風で飛散する等、安定した冷却性能が得られない。
【０００９】
また、このルーバー装置は構造上高層建築への対応が考慮されていないので、ビルディング等の高層建築物に起因するヒートアイランド現象を抑制することが困難である。
【００１０】
また、同特許文献１の段落（００２９）には、「・・・羽板１を支持枠３に取り付けたまま水１９を供給する場合には、最上段の羽板１の凹部２に対して多量に注水することにより、溢れた水１９が図３（ｂ）に示すように順次下段の羽板１の凹部２に流れ込むために、上下方向に配置される全ての羽板１の凹部２への注水の手間を簡略化することができる。この場合、図３（ｃ）に示すように予め羽板１を水平姿勢にしておけば、表面張力を利用して水１９をより多量に羽板１上に保持させることができる。」と記載されている。しかしながら、上段の羽板から溢れた水が下段の羽板に落下する構造では、上段の羽板と下段の羽板とで供給水量が不均一となり、全ての羽板の内部に十分に水を浸透させて保水することが困難である。
【００１１】
また、特許文献２に記載されている植栽ルーバー装置は、開口容器状に形成された羽根板がセラミックス等の多孔質部材ではないために羽根板自体に保水性がなく、羽根板の内部に植え付けてあるコケ等の植物によって外気を冷却するために冷却効果が低い。また、外気の冷却が不要な季節でも羽根板内部の植物に水を供給する必要があり、植物の管理に手間がかかる。更に、植物が枯れたりした場合、見栄えが悪くなりメンテナンスに手間を要するばかりでなく衛生上問題が生じる。
【００１２】
更に、支柱を介して複数の羽根板に水を供給するために上段と下段とで供給水量が不均一になり、各羽根板内部の植物に均一に水を供給することが困難である。また、この植栽ルーバー装置は構造上高層建築に適用することは困難であり、ビルディング等の高層建築物に起因するヒートアイランド現象を抑制することが困難である。
【００１３】
また、特許文献３に記載されている冷却壁体は、ブロックを積み上げて壁面を構成するために高層建築物に適用することが困難である。更に、同特許文献３の段落（００２７）には「更に、この実施の形態にあっては、貫通孔３２が１枚の仕切壁１４を上下に貫くようにして設けられており、上面１６から貫通孔３２に入り込んだ水が仕切壁１４を伝わって流れ、貫通孔３２から流出するようになる。これにより、滴下音が防止されると共に、水が通風孔１２を通ってブロック外に流出することも防止される。」と記載されている。
【００１４】
しかしながら、ブロック内の仕切壁１４を伝わって水が落下する構造、即ち通水路を構成する貫通孔３２がパイプのような閉水路ではなく、一部が外気に曝されているので、強風により落下する水が外部に漏れたり飛び散ったりするおそれがある。このため、外部に漏れたり飛び散ったりした水が付近を濡らし、或いは道路に面している場合には通行人に迷惑がかかるおそれもある。また、ブロックを積み上げて壁面を構成するために意匠面での制約が大きい。
【００１５】
このような従来技術の構造に起因する不具合を防止するために水路を一連の閉水路とすることが考えられるが、単なる閉水路とした場合には水が上段のブロックの水路から下段のブロックの水路へと流れてしまうだけとなり、特にブロックの透水速度が遅い場合にはブロックに十分な水量の水を浸透させて保水させることが困難となる。この結果、ブロックに十分な冷却効果を得ることが困難となる。また、各ブロックに十分な水量の水を供給するためには多量の水を連続的に流すことが必要となり、水を無駄に使用することとなる。
【００１６】
本発明の目的は、中空の多孔体および連結材により管状の閉水路が一連に構成された外装材において、各多孔体内に水を滞留させることにより、十分な水量の水を浸透させて保持させるようにして、冷却効果に優れ更には高層建築物にも好適に適用可能な気化冷却機能を有する外装材を提供することにある。
【課題を解決するための手段】
【００１７】
上述した課題を解決するために、本発明に係る気化冷却機能を有する外装材は、
所定間隔を隔てて上下方向に複数並べて連設された、保水性または透水性を有する中空の多孔体と、前記上下の多孔体の間で水を移動させるための連結材とを備えてなる外装材であって、
前記連結材は前記外装材の設置状態で上下の多孔体の間に介在され、もって、前記多孔体と前記連結材とで水路が形成され、
前記水路の少なくとも一部に、水の一部を滞留させるための堰を設けてなり、
前記水路に水を通し、水の一部を前記多孔体の表面から気化させることを特徴としている。
【発明の効果】
【００１８】
本発明によれば、上下の中空多孔体間を連結材で接続して一連の水路を形成し、この水路の少なくとも一部に堰を設けることにより、多孔体内に水の一部を滞留させることができる。これにより、多孔体の透水速度が遅くても適切な水量を供給することができる。この結果、水路に長時間水を流す必要がなくなり、効率良く冷却効果を得ることができる。また、水路の少なくとも一部に堰を設けるという簡単な構成で多孔体内部に水を滞留させることができる。
【図面の簡単な説明】
【００１９】
【図１】本発明に係る気化冷却効果を有する外装材の正面図である。
【図２】図１に示した外装材の多孔体の断面図である。
【図３】図２に示した多孔体の端面に当該多孔体を支持すると共に堰を形成する支持部材の説明図である。
【図４】図１に示した外装材の多孔体と支持部材を支柱に接合する場合の説明図である。
【図５】図４に示した外装材の右側面図である。
【図６】図５に示した外装材の矢線VI‐VIに沿う断面図である。
【発明を実施するための形態】
【００２０】
本発明を実施するための形態を説明するに先立って、本発明の作用および効果について説明する。
【００２１】
本発明に係る気化冷却機能を有する外装材は、所定間隔を隔てて上下方向に複数並べて連設された、保水性または透水性を有する中空の多孔体と、上下の多孔体の間で水を移動させるための連結材とを備えてなる外装材であって、連結材は外装材の設置状態で上下の多孔体の間に介在され、もって、多孔体と連結材とで水路が形成され、水路の少なくとも一部に、水の一部を滞留させるための堰を設けてなり、水路に水を通し、水の一部を多孔体の表面から気化させるように構成されている。
【００２２】
外装材は、所定間隔を隔てて上下方向に複数並べて連設された保水性または透水性を有する中空多孔体の上下の中空多孔体間を連結材で接続して一連の水路を形成し、この水路の少なくとも一部に堰を設けることにより、多孔体内に水の一部を滞留させることができる。これにより、多孔体の透水速度が遅くても多孔体に適切な水量を供給することができる。この結果、水路に長時間に亘り水を流す必要がなくなり、効率良く冷却効果を得ることができる。また、水路の少なくとも一部に堰を設けるだけで良く、構成が簡単である。
【００２３】
また、外装材の使用時（冷却時）には一連の水路に水を流すだけで全ての多孔体に均一に水を浸透させて保水させることができ、不使用時には水路に供給する水を遮断するだけで良く、取り扱いが容易である。更に、不使用状態にあった外装材を使用する際には最初に一連の水路に多量の水を供給することにより、短時間で全ての多孔体に十分に水を供給して保水させることが可能となり、短時間で冷却効果を上げることができる。そして、その後は多孔体に保水されている水の気化に応じて水を滞留させるように補給すれば良く、節水が可能であると共に水の管理も容易である。
【００２４】
また、上下の中空多孔体間を連結材で接続して形成した一連の水路に上から下へ多孔体の内部に水を通して多孔体に浸透させることにより、多孔体の表面に効率的に水を供給して保水させることができる。これにより、建築物の外気を効果的に冷却することができる。更に、多孔体の内部に水を通すために多孔体の外面が綺麗であり、見栄えが良く、建築物の日除や目隠しに使用する上での意匠性にも優れている。
【００２５】
また、外装材の上下の中空多孔体間を連結材で接続することで、中空多孔体の上から下への一連の水路を建築物の外部に設けることができ、施工、メンテナンスが容易となる。また、多孔体が目詰りしたり破損したりした場合には当該多孔体のみを交換すれば良く、しかも交換作業が容易であるためメンテナンス性に優れている。このため、高層建築物の外壁に外装材を多数設ける場合に適している。また、多孔体内部および連結材により一連の水路が形成されているため強風により水が飛散することがなく、外部への悪影響が防止される。
【００２６】
好ましくは多孔体は管状に形成されているのが良い。
【００２７】
このように多孔体を管状に形成することにより、日除（ルーバー）としても機能するため、室内の気温上昇をより有効に抑えることが可能となる。また、多孔体を管状とすることで強度の向上が図られる。
【００２８】
また、好ましくは多孔体はセラミックスで形成されているのが良い。
【００２９】
多孔体をセラミックスで形成することにより、表面の着色の自由度が増し、建築物の外観に合わせて種々の色に着色することが可能となる。また、多孔体の表面に種々の風合い、例えば砂壁のような凹凸を有する風合いや、大理石のような風合い等を自由に出すことができ、建築物の美観を変えることも可能となる。このように多孔体をセラミックスで形成することで、建築物に合わせて種々の意匠を付与することができるので、美観に優れている。また、セラミックスは保水性、透水性に優れており、冷却効果を高めることができる。
【００３０】
また、好ましくはは多孔体の端部に有するのが良い。
【００３１】
中空多孔体の端部に堰を設けることにより、当該中空多孔体の全長に亘り水を滞留させることができるため、多孔体に十分な保水を確保することができる。これにより、少ない水量でも十分に多孔体全体に水を浸透させて保水させることができる。
【００３２】
また、好ましくは堰は多孔体を支持するための支持部材を兼ねるのが良い。
【００３３】
多孔体を支持する支持部材に中空多孔体の水路の断面よりも小さい通水孔を設けることにより多孔体の端部に堰を得ることができ、構造が簡単であり、施工性にも優れている。
【００３４】
以下、本発明の一実施形態に係る気化冷却機能を有する外装材について図面に基づいて説明する。図１は、本発明の一実施形態に係る気化冷却機能を有する外装材（以下単に「外装材」という）１の正面図である。図２は、図１に示した外装材１の多孔体１１の断面図である。図３は、図２に示した多孔体１１の端面に当該多孔体１１を支持すると共に堰を形成する支持部材１４の説明図である。図４は、図１に示した外装材１の多孔体１１と支持部材１４を支柱３に接合する場合の説明図である。図５は、図４に示した外装材１の右側面図である。図６は、図５に示した外装材１の矢線VI‐VIに沿う断面図である。
【００３５】
本発明の一実施形態に係る外装材１は、図１に示すように図示しない複数階の高層建築物の例えば３階部分の外壁に設けた状態を示している。外装材１は、図１に示すように建築物の間口の広さ（左右の幅）、外壁の高さに応じた大きさに形成されている。従って、図示のように建築物の間口が広く両側の支柱３と４との間隔が広い場合、これらの支柱３と４の中間位置に支柱５を設けて多孔体１１の長さを制限し、自重および内部の水の重量による撓みを小さくして強度の低下を防止している。
【００３６】
多孔体１１は、支柱３と支柱５、および支柱４と支柱５の間に配置され、図中右側の各多孔体１１の一側（右側）端面が右側の支柱３に、他側（左側）端面が中央の支柱５の一側（右側）に接合され、図中左側の各多孔体１１の一側（左側）端面が左側の支柱４に、他側（右側）端面が中央の支柱５の他側（左側）に接合されている。また、中央の支柱５と両側の支柱３，４との中間位置に更に支柱６，７が配置されており、長尺の多孔体１１の撓みを更に抑えて補強している。これらの支柱３〜７は、断面が矩形状の中空体とされており（図６参照）、耐蝕性、強度に優れた例えばステンレス部材により形成されている。
【００３７】
そして、外装材１は、支柱３から支柱５までの右側の領域を冷却する右側冷却部２Ｒと、支柱５から支柱４までの左側の領域を冷却する左側冷却部２Ｌの２つの冷却部により構成されている。右側冷却部２Ｒと左側冷却部２Ｌは、中央の支柱５に対して対称に形成されているので、以下右側冷却部２Ｒについて説明する。
【００３８】
両側の支柱３，４は、当該建築物の両隣の部屋を画成する外壁の最上階から１階まで通して固定されている。また、中央の支柱５は、各階毎に所定の長さに設定されて外壁に固定されている。尚、支柱３〜７、特に支柱３，４，５は、建築物の骨組みを構成する鉄骨等の、柱、梁、床スラブ、または庇に固定することが可能であれば、強度を増す上で好ましい。
【００３９】
多孔体１１は、図１に示すように所定間隔を隔てて上下方向に複数並べて配置されており、目の高さに相当する上部の複数段、例えば最上段から四段目までの間隔を広く設定し、室内から窓越しに或る程度の広さの視界を確保して煩わしさを避けつつ日除（ルーバー）の機能を持たせている。また、目の高さよりも低い五段目から最下段までの多孔体１１の間隔を狭く設定し、十分な日除の機能を得るようにしている。
【００４０】
多孔体１１は、図２に示すように厚肉の中空体をなしており、断面形状が建築物の前後方向（図中左右方向）に長い長円形をなしている。このように多孔体１１の形状を前後方向に長い長円形とすることにより、単なる円筒形状に比べてより一層日除（ルーバー）の機能を持たせることができる。そして、中空部１１ａが水の通路（以下「水路」という）となる。尚、中空部１１ａも外形と同様に断面形状が前後方向に長い長円形をなしている。この多孔体１１は、保水性、透水性に優れたセラミックスで形成されている。
【００４１】
多孔体１１の中空部１１ａ内には芯材１２が収容されている。芯材１２は、多孔体１１よりも僅かに短く設定されており、断面が中空部１１ａと同様の長円形をなし、下面に全長に亘り開口する開口部１２ａが形成された断面略Ｃ形をなしている。芯材１２の一側端面１２ｂの所定位置、例えば前後の円弧をなす部分の上下位置に蟹の鋏のような形状の係合爪１２ｃが切り起し成形により形成されており、一側端面１２ｂに対して内側に直角に折曲されている。
【００４２】
これらの係合爪１２ｃは、ばね性を有しており、後述する接続用のボルト３１と係合（螺合）するためのナットの機能を有している。芯材１２の他側端面にも同様に係合爪が形成されている。尚、係合爪１２ｃは、図示の蟹の鋏のような形状に限るものではなく、例えば四角形状に切り起こしてねじ穴を設けるようにしても良い。あるいは芯材１２は、押出し成形等で係合部を一体的に成形しても良い。
【００４３】
芯材１２は、耐蝕性、強度に優れた例えばステンレス部材により形成されており、外周面全体が多孔体１１の中空部１１ａの内周面に当接する大きさとされることが好ましい。このように多孔体１１の中空部１１ａ内に芯材１２を収容することにより、多孔体１１を補強することができ、特に自重および水を流したときの撓みに対して多孔体１１の強度を増すことができる。また、何らかの原因により多孔体１１が折損した場合でもこれが落下するのを防止し、被害を最小限に抑えることが可能となる。
【００４４】
尚、図２においては多孔体１１の中空部１１ａの内周面と芯材１２の外周面との間に僅かに隙間が形成されているが、多孔体１１をセラミックスで形成した場合、中空部１１ａの大きさの誤差等を考慮して芯材１２との間に余裕を持たせたことによるものである。このように中空部１１ａの内周面と芯材１２の外周面との間に僅かな隙間がある場合でも、後述するように支柱に接合した状態においては、芯材１２の上面が中空部１１ａの内周面の上面に当接して支持することとなり、強度的に特に問題となることはない。
【００４５】
また、芯材１２は、ステンレス部材に限るものではなく他の部材、例えばプラスチック等の合成樹脂部材を使用しても良い。プラスチック等の合成樹脂部材を使用する場合、コストの低減を図ることが可能である。
【００４６】
次に、多孔体１１の端部に堰を形成すると共に当該多孔体１１を支柱３に接合するための支持部材１４を図３に示す。支持部材１４は、上方から見て図６に示すように略Ｌ形をなしており、多孔体１１の外形の断面形状よりも僅かに狭く、一側の支持部１４ａの先端部が多孔体１１の外形の円弧面と同心的な円弧をなしている。この支持部１４ａに多孔体１１の中空部１１ａと対応し、かつ当該中空部１１ａの略下側半分を水平に（直線的に）塞ぐようにした通水孔１４ｃが設けられている。通水孔１４ｃは、多孔体１１の端部に堰を形成して中空部１１ａ内に水を滞留させるためのもので、中空部１１ａの断面よりも小さく形成されており、通水孔１４ｃの下側が堰１４ｄとなる。
【００４７】
通水孔１４ｃの開口端の下端の両側近傍には芯材１２の下側の２つの係合爪１２ｃと対応する位置にボルト挿通孔としての切欠１４ｅが設けられている。支持部１４ａの通水孔１４ｃと他側の支持部１４ｂとの略中間位置にボルト挿通孔１４ｆが設けられている。このボルト挿通孔１４ｆは、後述する支持金具１７を取付けるためのものである。支持部材１４の他側の支持部１４ｂにもボルト挿通孔１４ｇが設けられている。このボルト挿通孔１４ｇは、支持部材１４を支柱３に接続するためのものである。
【００４８】
支持部材１４を多孔体１１に取付けるための支持金具１７は、図４乃至図６に示すように支持部材１４と同じ幅の平板をなし、先端部が支持部材１４の支持部１４ａの先端部と同様の円弧をなし、基端部がボルト挿通孔１４ｆの位置よりも僅かに長く形成されている。支持金具１７は、多孔体１１の中空部１１ａの略中央位置と対応する位置に円形の通水孔が形成されており、当該通水孔に連結材２３を接続するための接続金具（継手）２１が取付けられている。接続金具２１の周りには芯材１２の各係合爪１２ｃと対応する位置にボルト挿通孔が設けられている。
【００４９】
止水パッキン１３は、多孔体１１の外形の断面形状よりも僅かに小さく、支持部材１４の支持部１４ａと同じ幅の長円形をなし、中空部１１ａと同じ断面形状の通水孔が設けられている。止水パッキン１６は、支持金具１７と略同形をなしており、止水パッキン１３と同様に多孔体１１の中空部１１ａと同じ断面形状の通水孔が設けられている。また、止水パッキン１６の端部には、支持部材１４の支持部１４ａのボルト挿通孔１４ｆと対応してボルト挿通孔が設けられている。
【００５０】
支持部材１４を支柱３に接続するためのブラケット１５は、図４および図６に示すように矩形状の平板で、先端側略半部が支柱３の前面３ａに溶着され、基端側略半部が支柱５方向に水平に張り出している。ブラケット１５の他側には支持部材１４の支持部１４ｂのボルト挿通孔１４ｇと対応してボルト挿通孔が設けられている。これらの支持部材１４、支持金具１７、ブラケット１５も支柱３と同様に耐蝕性、強度に優れたステンレス部材により形成されている。
【００５１】
次に、多孔体１１を支柱３に接合する場合について図４乃至図６により説明する。尚、図４乃至図６は、図１に示す外装材１の右側冷却部２Ｒの最上段の多孔体１１から三段目の多孔体１１までの一側端面（右側端面）１１ｂを支柱３に接合する場合について描いてある。
【００５２】
支持部材１４の支持部１４ａに止水パッキン１６を介して支持金具１７を取り付け、図５および図６に示すように接続用のボルト３４、ナット３５により固定して、支持部１４ａに支持金具１７を液密に接続する。
【００５３】
次いで、多孔体１１の一側端面１１ｂに図４および図６に示すように止水パッキン１３を介して支持部材１４の支持部１４ａを当接し、接続用のボルト３１を支持部１４ａのボルト挿通孔を通して芯材１２の係合爪１２ｃに係合（螺合）する。前述したように芯材１２は多孔体１１よりも僅かに短く形成されていることにより、ボルト３１を締め付けることで止水パッキン１３を多孔体１１の一側端面１１ｂと支持部１４ａに密着させることができ、これらを液密に接続することができる。
【００５４】
次いで、支持部材１４の支持部１４ｂをボルト３２、ナット３３によりブラケット１５の他側に接合する。こうして図４乃至図６に示すように多孔体１１の一側端面１１ｂを支柱３の前側に接続する。このようにして、最上段から最下段までの各段の多孔体１１の一側端面１１ｂを支柱３の前側に接合する。
【００５５】
最上段から最下段までの多孔体１１の図示しない他側端面（左側端面）も同様に止水パッキン、支持部材、止水パッキン、支持金具、ブラケットを介して図１に示すように支柱５の前面右側の前側に接合する。このようにして、複数の多孔体１１の両端を支柱３と支柱５に水平に接合する。
【００５６】
最上段の多孔体１１の一側端面１１ｂが接合された支持金具１７の接続金具２１には、図４に示すように略Ｌ形をなし支柱３に沿って上方に延出する連結材２２の下端部２２ａが接続されている。この連結材２２はパイプにより形成されており、外装材１の給水路とされる。
【００５７】
二段目の多孔体１１の支持金具１７の接続金具２１と三段目の多孔体１１の支持金具１７の接続金具２１は、図４および図５に示すように連結材２３により接続されている。連結材２３もパイプにより形成されており、上下の多孔体１１の中空部１１ａ間で水を移動させるための機能を有し、外装材１の水路とされる。連結材２３は、両側の端部２３ａが一側に直角に折曲されて二段目の接続金具２１と三段目の接続金具２１に液密に接続されている。同様に四段目と五段目、六段目と七段目、・・・というように多孔体１１の一側端面１１ｂが連結材２３により接続されている。そして、最下段の多孔体１１（図１参照）の一側端面に接合された接続金具には、略逆Ｌ形をなし支柱３に沿って下方に延出する図示しない連結材の上端部が接続されている。この最下段の多孔体１１に接続された連結材は、外装材１の排水路とされる。
【００５８】
また、図示はしていないが最上段の多孔体１１の他側端面（左側端面）が接続された支持金具の接続金具と二段目の多孔体１１の他側端面が接続された支持金具の接続金具が、連結材２３と同様の連結材により接続されている。同様に三段目と四段目、五段目と六段目、・・・というように最下段の多孔体１１まで各多孔体１１の他側端面が連結材で接続されている。このようにして、最上段の多孔体１１から最下段の多孔体１１まで両端面が互い違いに接続されている。これにより、最上段の多孔体１１の中空部１１ａから最下段の多孔体１１の中空部１１ａまで連続して接続されて一連の水路が形成される。
【００５９】
尚、各多孔体１１内に水を滞留させるための堰１４ｄは、水路の少なくとも一部に設ければ良い。例えば、多孔体１１の中空部１１ａ内を流れる水の出口側に設ければ良く、図４に示す場合には、図中二段目の多孔体１１の水の排出側である一側端面１１ｂの支持部材１４に図３に示すように堰１４ｄを設け、第三段目の多孔体１１においては水の排出側である図示しない他側端面の支持部材の通水孔に図３に示すような堰を設ければ良い。これにより、二段目および三段目の多孔体１１に水を滞留させることができる。以下、同様である。尚、堰は、多孔体１１の中空部１１ａの両端部に設けても良い。この場合、多孔体１１の両端に接続する支持部材１４にそれぞれ堰１４ｄを設けるようにしても良い。
【００６０】
連結材２３の途中、例えば中央よりも僅かに上方位置と支柱３との間に、図５および図６に示すように分岐管２５が略水平に接続されている。分岐管２５は、一端が連結材２３に開口して液密に接合され、他端がパッキン２６を介して支柱３の前面３ａに設けた孔３ｂに液密に挿入され、支柱３内に開口している。即ち、分岐管２５は、パイプ状の連結材２３と中空の支柱３とを連通している。分岐管２５は、多孔体１１の中空部１１ａ、連結材２３等からなる水路のエア抜きおよびオーバーフロー管とされている。そして、中空の支柱３は、エア抜き通路および排水通路として機能する。尚、分岐管２５は、全ての連結材２３と支柱３，５との間に設けても良く、或いは複数の連結材２３を選定してこれらの連結材２３に設けるようにしても良い。
【００６１】
各多孔体１１の両端と支柱３，４との間に図１に示すようにカバー部材２７が装着されており、止水パッキン１３、支持部材１４、止水パッキン１６、支持金具１７、接続金具２１、連結材２３が覆われている。これにより、外装材１の外観が良くなり見栄えが向上する。尚、カバー部材２７は、多孔体１１と同じ材質の部材で形成することにより、一体感が増して意匠上好ましい。このようにして、図１に示す右側冷却部２Ｒが形成されている。左側冷却部２Ｌは、右側冷却部２Ｒと対称に形成されている。
【００６２】
前述したように外装材１は、建築物の各階分の外壁の大きさに形成されており、各階毎に外装材１を取付けるようになっている。そして、図１、図４、図５に示すように３階の外壁に取付けた外装材１の最上段の多孔体１１の一側端面１１ｂに接続した連結材２２の上端部が、４階（上の階）の外壁に取付けた図示しない外装材の最下段の多孔体の対応する一側端面の接続金具に接続され、当該外装材１の最下段の多孔体１１の一側端面に接続した図示しない連結材の下端部が、２階（下の階）の外壁に取付けた図示しない外装部材の最上段の多孔体の対応する一側端面の接続金具に接続される。このようにして、最上階の外装材から１階の外装材まで連続した一連の水路が形成される。左側冷却部２Ｌについても右側冷却部２Ｒと同様である。そして、右側冷却部２Ｒと左側冷却部２Ｌは、冷却系統が別々に構成されている。
【００６３】
外装材１の最上段の多孔体１１に接続された連結材２２から供給された水は、図１に破線で示すように、当該最上段の多孔体１１の中空部１１ａから連結材２３を通して順次下段の多孔体１１の中空部１１ａ内を流れて当該最下段の多孔体１１に接続された連結材から排出される。従って、各多孔体１１の中空部１１ａは、給水路と排水路をなしている。
【００６４】
各多孔体１１の中空部１１ａに流入した水は、図３に示す支持部材１４の堰１４ｄにより堰き止められて滞留し、当該堰１４ｄを超えた水量が通水孔１４ｃから流出して連結材２３を通して下段の多孔体の中空部１１ａに流入する。多孔体１１の中空部１１ａ内に滞留された水は、図２に示すように芯材１２の下部の開口部１２ａが全長に亘り開口していることで、中空部１１ａの水と接触している下面および両側面から毛細管現象により多孔体１１全体に浸透して全表面に保水される。これにより、長時間に亘り水路に水を流し続ける必要がなくなるので、多孔体１１の透水性が遅い場合でも多孔体１１に有効に水を浸透させることが可能となり、冷却効果を効率良く得ることができる。
【００６５】
また、多孔体１１の中空部１１ａ内に滞留している水量、連結材２３の下部に残る水量や、中空部１１ａ内の空気および連結材２３内の空気等に起因する連結材２３内の空気の圧力の関係等により、連結材２３の途中に水がトラップする（詰まる）ことがあり、水が流れなくなる現象が時々発生することがある。このような現象を防止するために、分岐管２５を通して連結材２３内の空気を中空の支柱３内に逃がして当該連結材２３に水がトラップすることを防止する。
【００６６】
また、一時に多量の水を供給したときに溢水（オーバーフロー）により連結材２３に水がトラップすることがある。このような場合、分岐管２５を通して連結材２３内の水の一部（溢水した分）を中空の支柱３内に排出する。これにより、外装材１の水路に必要量の水を安定して流すことが可能になると共に、支柱３の下端から排出される水を検知することにより水路が閉塞するような不具合を発見することにも役立つ。
【００６７】
尚、外装材１は、給水路としての最上段の多孔体１１の連結材２２、排水路としての最下段の多孔体の一側端面に接続されて下方に延出する連結材を備えているが、中空の支柱３を給水路や排水路として使用することも可能である。
【００６８】
高層建築物の外壁に最上階から１階まで外装材１を取り付け、各階の外装材１の水路を接続して一連の水路を形成した場合でも、各階の外装材１の各多孔体１１内には水が滞留されているために十分な水量を保水することができ、各階の外装材１が略均等に冷却効果を得ることができる。
【００６９】
多孔体１１の全表面に保水された水は、太陽熱により加熱されると気化し、このときの気化熱により周囲の温度が下がり冷却される。また、多孔体１１が前後方向に長い長円形をなしていることで日除の機能を有しており、直射日光を有効に遮る。これにより、建築物の外壁の温度を下げることができ、ヒートアイランド現象を抑制することができると共に室内温度を下げることができる。
【００７０】
また、外装材１の使用時（冷却時）には一連の水路に水を流すだけで全ての多孔体１１に水を浸透させて保水させることができ、不使用時には水路に供給する水を遮断するだけで良く、取り扱いが容易である。更に、不使用状態にあった外装材１を使用する場合、最初に多量の水を供給することにより、短時間で全ての多孔体１１に十分に水を供給して保水させることが可能となり、短時間で冷却効果を上げることができる。そして、その後は多孔体１１に保水されている水の気化に応じて中空部１１ａ内に水が滞留するように補給すれば良く、節水が可能であると共に水の管理も容易となる。
【００７１】
このように、多孔体内に水を滞留させることにより、水を有効に使用することが可能となり、エコ対策、クールビズ対策、省エネ対策にも有効である。また、多孔体１１の内部および連結材２３により一連の水路が形成されているため、強風により水が飛散することがなく、外部への悪影響が防止される。
【００７２】
尚、多孔体１１内に水を滞留させるための堰を、当該多孔体１１を支柱３に接合する支持部材１４に兼用させる場合、図２に示す多孔体の水路断面の略中央の高さ位置、即ち滞留させるべき水の高さ位置に通水孔としての小孔（丸孔）を設けて前記高さ位置を超える分の水を排出させて連結材２３に流すようにしても良い。この場合、当該支持部材１４の小孔（丸孔）に接続金具２１を取付けることが可能であり、止水パッキン１６、支持金具１７、ボルト３４、ナット３５等が不要となり、部品点数の低減が可能となると共に施工性の向上が図られる。
【００７３】
或いは、支持部材１４に堰１４ｄを兼用させる代わりに、例えば、セラミックスからなる多孔体１１の焼成前に、多孔体１１の中空部１１ａの開口端近傍の底面に坏土を接着して、多孔体と堰とを一体的に形成しても良く、或いは樹脂部材等により堰を成形して中空部１１ａの開口端近傍の底面に接着するようにしても良い。
【００７４】
以上説明したように、本発明による気化冷却機能を有する外装材によると、外装材１は、上下の中空多孔体間を連結材で接続して一連の水路を形成し、この水路の少なくとも一部に堰を設けることにより、多孔体内に水の一部を滞留させることができる。これにより、多孔体の透水速度が遅くても多孔体に適切な水量を供給することができる。この結果、水路に長時間水を流す必要がなくなり、冷却効果を効率良く得ることができる。
【００７５】
また、上下の中空多孔体間を連結材で接続して形成した一連の水路に上から下へ多孔体の内部に水を通して多孔体全体に浸透させることにより、多孔体の全表面に効率的に水を供給して保水させることができる。これにより、建築物の外気を効果的に冷却することができる。また、多孔体の内部に水を通すために多孔体の外面を綺麗にでき、見栄えが良くなり、建築物の日除や目隠しに使用する上での意匠性にも優れている。
【００７６】
更に、外装材１は、多孔体が連結材、支持部材を介して支柱に接合されることにより、建築物の外壁に取り付ける際の施工性が良い。また、多孔体が目詰まりしたり破損したりした場合には当該多孔体のみを交換すれば良く、しかも交換作業が容易でありメンテナンス性に優れている。また、多孔体の上から下への一連の水路を建築物の外部に設けることができ、施工、メンテナンスが容易となる。このため、高層建築物の外壁に外装材を多数設ける場合に適している。
【００７７】
また、多孔体の内部に水を通して多孔体全体に浸透させることにより多孔体の全表面に効率的に保水させることができ、建築物外壁や周囲の外気を効果的に冷却することができる。また、多孔体内部および連結材により一連の水路が形成されているため強風により水が飛散することがなく、外部への悪影響が防止される。
【００７８】
また、多孔体を管状に形成することにより、日除（ルーバー）としても機能するため、室内の気温上昇をより有効に抑えることが可能となる。また、多孔体を管状とすることで強度の向上が図られる。
【００７９】
また、多孔体をセラミックスで形成することにより、表面の着色の自由度が増し、建築物の外観に合わせて種々の色に着色することが可能になる。更に、多孔体の表面に種々の風合い、例えば砂壁のような凹凸を有する風合い、大理石のような風合い等自由に出すことができ、建築物の外観を変えることも可能になる。このように多孔体をセラミックスで形成することで、建築物に合わせて種々の意匠を付与することができるので、意匠性に優れている。また、セラミックスは保水性、透水性に優れており冷却効果を高めることができる。
【００８０】
また、中空の多孔体の端部に堰を設けることにより、当該多孔体内に全長に亘り水を滞留させることができるため、多孔体に十分な保水性を確保することができる。これにより、少ない水量でも十分に多孔体全体に水を浸透させて保水させることができる。
【００８１】
また、多孔体を支持する支持部材に多孔体の水路の断面よりも小さい通水孔を設けることにより、多孔体の端部に堰を得ることができ、構造が簡単になり、施工性にも優れる。
【符号の説明】
【００８２】
１    外装材
２Ｒ    右側冷却部
２Ｌ    左側冷却部
３，４，５，６，７    支柱
３ａ    前面
３ｂ    孔
１１    多孔体
１１ａ    中空部
１１ｂ    一側端面（右側端面）
１２    芯材
１２ａ    開口部
１２ｂ    一側端面
１２ｃ    係合爪
１３    止水パッキン
１４    支持部材
１４ａ，１４ｂ    支持部
１４ｃ    通水孔
１４ｄ    堰
１４ｅ    切欠
１４ｆ，１４ｇ    ボルト挿通孔
１５    ブラケット
１６    止水パッキン
１７    支持金具
２１    接続金具（継手）
２２    連結材（パイプ）
２２ａ    下端部
２３    連結材（パイプ）
２３ａ    端部
２５    分岐管
２６    パッキン
２７    カバー部材
３１，３２，３４    ボルト
３３，３５    ナット
【図１】
2010203082.tif 000003
【図２】
2010203082.tif 000004
【図３】
2010203082.tif 000005
【図４】
2010203082.tif 000006
【図５】
2010203082.tif 000007
【図６】
2010203082.tif 000008